(57)【要約】【課題】複数のオークションへ出品した対象（例えば中古車輌）の管理を容易にできるようにする。【解決手段】オークション出品管理方法であって、オークション出品候補一覧と、オークション会場及び日付が関連づけられた複数のオークション出品対象表示領域からなるカレンダー領域とを表示する第１ステップと、前記オークション出品候補一覧からオークションに出品する対象をユーザーに指定させる第２ステップと、前記カレンダー領域から出品予定のオークション会場及び日付が関連づけられているオークション出品対象表示領域をユーザーに指定させる第３ステップと、前記第３ステップによって指定されたオークション出品対象表示領域に、前記第２ステップによって指定されたオークション出品対象を表示する第４ステップとを備える。【選択図】　　　図１
2004094643.tif 000002
【特許請求の範囲】
【請求項１】
コンピュータが、オークション出品候補一覧と、オークション会場及び日付が関連づけられた複数のオークション出品対象表示領域からなるカレンダー領域とを表示する第１ステップと、
コンピュータが、前記オークション出品候補一覧からオークションに出品する対象をユーザーに指定させる第２ステップと、
コンピュータが、前記カレンダー領域から出品予定のオークション会場及び日付が関連づけられているオークション出品対象表示領域をユーザーに指定させる第３ステップと、
コンピュータが、前記第３ステップによって指定されたオークション出品対象表示領域に、前記第２ステップによって指定されたオークション出品対象を表示する第４ステップとを備える、オークション出品管理方法。
【請求項２】
コンピュータが、前記オークション出品対象表示領域に表示されたオークション出品対象に対するステータスを取得する第５ステップをさらに備える、請求項１に記載のオークション出品管理方法。
【請求項３】
コンピュータが、前記第５ステップによって取得したステータスに応じて前記オークション出品対象表示領域に表示されたオークション出品対象の表示態様を変更する第６ステップをさらに備える、請求項２に記載のオークション出品管理方法。
【請求項４】
コンピュータが、前記第５ステップによって取得したステータスに応じて前記オークション出品候補一覧に表示されたオークション出品対象の表示態様を変更する第７ステップをさらに備える、請求項２又は３に記載のオークション出品管理方法。
【請求項５】
前記第４ステップはさらに、コンピュータが、前記第３ステップによって指定されたオークション出品対象表示領域に、前記第２ステップによって指定されたオークション出品対象の出品回数を表示する、請求項１に記載のオークション出品管理方法。
【請求項６】
前記第１ステップはさらに、オークション開催日付が関連づけられているオークション出品対象表示領域を他のオークション出品対象表示領域とは異なる態様で表示する、請求項１から５のいずれかに記載のオークション出品管理方法。
【請求項７】
コンピュータが、前記第４ステップによってオークション出品対象表示領域に表示されたオークション出品対象に対する出品処理を実行する第８ステップをさらに備える、請求項１に記載のオークション出品管理方法。
【請求項８】
前記オークション出品対象に対する出品処理は、そのオークション出品対象に関するオークション出品情報をネットワークを介して外部サーバーに送信する処理を含む、請求項７に記載のオークション出品管理方法。
【請求項９】
前記オークション出品対象に関するオークション出品情報は、少なくとも、そのオークション出品対象の識別情報及びオークションのスタート価格を含む、請求項８に記載のオークション出品管理方法。
【請求項１０】
前記オークション出品候補一覧は在庫車輌一覧である、請求項１から９のいずれかに記載のオークション出品管理方法。
【請求項１１】
オークション出品候補一覧と、オークション会場及び日付が関連づけられた複数のオークション出品対象表示領域からなるカレンダー領域とを表示する第１ステップと、
前記オークション出品候補一覧からオークションに出品する対象をユーザーに指定させる第２ステップと、
前記カレンダー領域から出品予定のオークション会場及び日付が関連づけられているオークション出品対象表示領域をユーザーに指定させる第３ステップと、
前記第３ステップによって指定されたオークション出品対象表示領域に、前記第２ステップによって指定されたオークション出品対象を表示する第４ステップとをコンピュータに実行させるためのオークション出品管理プログラム。
【請求項１２】
前記オークション出品対象表示領域に表示されたオークション出品対象に対するステータスを取得する第５ステップをさらにコンピュータに実行させるための、請求項１１に記載のオークション出品管理プログラム。
【請求項１３】
前記第５ステップによって取得したステータスに応じて前記オークション出品対象表示領域に表示されたオークション出品対象の表示態様を変更する第６ステップをさらにコンピュータに実行させるための、請求項１２に記載のオークション出品管理プログラム。
【請求項１４】
前記第５ステップによって取得したステータスに応じて前記オークション出品候補一覧に表示されたオークション出品対象の表示態様を変更する第７ステップをさらにコンピュータに実行させるための、請求項１２又は１３に記載のオークション出品管理プログラム。
【請求項１５】
前記第４ステップはさらに、前記第３ステップによって指定されたオークション出品対象表示領域に、前記第２ステップによって指定されたオークション出品対象の出品回数を表示する、請求項１０に記載のオークション出品管理プログラム。
【請求項１６】
前記第１ステップはさらに、オークション開催日付が関連づけられているオークション出品対象表示領域を他のオークション出品対象表示領域とは異なる態様で表示する、請求項１０から１５のいずれかに記載のオークション出品管理プログラム。
【請求項１７】
前記第４ステップによってオークション出品対象表示領域に表示されたオークション出品対象に対する出品処理を実行する第８ステップをさらにコンピュータに実行させるための、請求項１１に記載のオークション出品管理プログラム。
【請求項１８】
前記オークション出品対象に対する出品処理は、そのオークション出品対象に関するオークション出品情報をネットワークを介して外部サーバーに送信する処理を含む、請求項１７に記載のオークション出品管理プログラム。
【請求項１９】
前記オークション出品対象に関するオークション出品情報は、少なくとも、そのオークション出品対象の識別情報及びオークションのスタート価格を含む、請求項１８に記載のオークション出品管理プログラム。
【請求項２０】
前記オークション出品候補一覧は在庫車輌一覧である、請求項１１から１９のいずれかに記載のオークション出品管理プログラム。
【請求項２１】
オークション出品候補一覧と、オークション会場及び日付が関連づけられた複数のオークション出品対象表示領域とからなるカレンダー領域とを画像表示装置に表示する第１表示手段と、
前記オークション出品候補一覧からオークションに出品する対象をユーザーに指定させる出品対象指定手段と、
前記カレンダー領域から出品予定のオークション会場及び日付が関連づけられているオークション出品対象表示領域をユーザーに指定させる出品対象表示領域指定手段と、
前記出品対象表示領域指定手段によって指定されたオークション出品対象表示領域に、前記出品対象指定手段によって指定されたオークション出品対象を表示する第２表示手段とを備える、オークション出品管理装置。
【請求項２２】
前記第２表示手段によってオークション出品対象表示領域に表示されたオークション出品対象に対するステータスを取得する取得手段をさらに備える、請求項２１に記載のオークション出品管理装置。
【発明の詳細な説明】
【０００１】
【発明の属する技術分野】
本発明は、オークションへ出品するオークション出品対象の管理を容易に行うための技術に関する。
【０００２】
【従来の技術】
従来、複数のオークション（例えば中古自動車オークション）へ出品した場合は、個々のオークションそれぞれに出品した対象（例えば中古車輌）を管理する必要があり、出品するオークションの数が増えれば増えるほどその管理が煩雑になるという問題がある。
【０００３】
【発明が解決しようとする課題】
本発明の課題は、複数のオークションへ出品した対象（例えば中古車輌）の管理を容易にできるようにすることにある。
【０００４】
【課題を解決するための手段】
本発明は、上記課題を解決するためになされたものであり、オークション出品管理方法であって、コンピュータが、オークション出品候補一覧と、オークション会場及び日付が関連づけられた複数のオークション出品対象表示領域からなるカレンダー領域とを表示する第１ステップと、コンピュータが、前記オークション出品候補一覧からオークションに出品する対象をユーザーに指定させる第２ステップと、コンピュータが、前記カレンダー領域から出品予定のオークション会場及び日付が関連づけられているオークション出品対象表示領域をユーザーに指定させる第３ステップと、コンピュータが、前記第３ステップによって指定されたオークション出品対象表示領域に、前記第２ステップによって指定されたオークション出品対象を表示する第４ステップとを備える構成とした。
【０００５】
本発明によれば、オークション出品対象は出品場所及び日付が関連づけられた複数のオークション出品対象表示領域からなるカレンダー領域に表示されることになる。このため、ユーザーは、そのカレンダー領域を一瞥するだけで、オークションへ出品するオークション出品対象の出品場所や日付を把握することができ、オークション出品対象の管理を容易に行うことが可能となる。
【０００６】
また、上記オークション出品管理方法においては、例えば、コンピュータが、前記オークション出品対象表示領域に表示されたオークション出品対象に対するステータスを取得する第５ステップをさらに備える。
【０００７】
このようにすれば、その取得したステータスに応じて出品対象表示領域に表示されたオークション出品対象の表示態様を変更することが可能になる。このようにオークション出品対象の表示態様を変更すれば、ユーザーは、カレンダー領域を一瞥するだけで、オークションに出品したオークション出品対象のステータスを把握できる。
【０００８】
また、上記オークション出品管理方法においては、例えば、前記第４ステップはさらに、コンピュータが、前記第３ステップによって指定されたオークション出品対象表示領域に、前記第２ステップによって指定されたオークション出品対象の出品回数を表示する。
【０００９】
このようにすれば、ユーザーは、カレンダー領域を一瞥するだけで、オークションへ出品するオークション出品対象の出品場所や日付、さらにはその出品回数を把握することができ、オークション出品対象の管理を容易に行うことが可能となる。
【００１０】
また、上記オークション出品管理方法においては、例えば、前記第１ステップは、オークション開催日付が関連づけられているオークション出品対象表示領域を他のオークション出品対象表示領域とは異なる態様で表示する。
【００１１】
このようにすれば、オークションが開催されていない日付が関連づけられているオークション出品態様表示領域を指定することを防止できる。
【００１２】
また、上記オークション出品管理方法においては、例えば、コンピュータが、前記第４ステップによってオークション出品対象表示領域に表示されたオークション出品対象に対する出品処理を実行する第８ステップをさらに備える。このようにすれば、オークション出品処理を迅速に行うことが可能となる。
【００１３】
また、上記オークション出品管理方法においては、例えば、前記オークション出品対象に対する出品処理は、そのオークション出品対象に関するオークション出品情報をネットワークを介して外部サーバーに送信する処理を含む。このようにすれば、オークション出品処理を迅速に行うことが可能となる。
【００１４】
また、上記オークション出品管理方法においては、例えば、前記オークション出品対象に関する所定情報は、少なくとも、そのオークション出品対象の識別情報及びオークションのスタート価格を含む。
【００１５】
また、上記オークション出品管理方法においては、例えば、前記オークション出品候補一覧は在庫車輌一覧である。
【００１６】
本発明はプログラムの発明として次のように特定することもできる。オークション出品候補一覧と、オークション会場及び日付が関連づけられた複数のオークション出品対象表示領域からなるカレンダー領域とを表示する第１ステップと、前記オークション出品候補一覧からオークションに出品する対象をユーザーに指定させる第２ステップと、前記カレンダー領域から出品予定のオークション会場及び日付が関連づけられているオークション出品対象表示領域をユーザーに指定させる第３ステップと、前記第３ステップによって指定されたオークション出品対象表示領域に、前記第２ステップによって指定されたオークション出品対象を表示する第４ステップとをコンピュータに実行させるためのオークション出品管理プログラム。
【００１７】
また、本発明は上記オークション出品管理プログラムを記録したコンピュータ読み取り可能な記録媒体として特定することもできる。
【００１８】
また、本発明は装置の発明として次のように特定することもできる。オークション出品候補一覧と、オークション会場及び日付が関連づけられた複数のオークション出品対象表示領域とからなるカレンダー領域とを画像表示装置に表示する第１表示手段と、前記オークション出品候補一覧からオークションに出品する対象をユーザーに指定させる出品対象指定手段と、前記カレンダー領域から出品予定のオークション会場及び日付が関連づけられているオークション出品対象表示領域をユーザーに指定させる出品対象表示領域指定手段と、前記出品対象表示領域指定手段によって指定されたオークション出品対象表示領域に、前記出品対象指定手段によって指定されたオークション出品対象を表示する第２表示手段とを備える、オークション出品管理装置。
【００１９】
【発明の実施の形態】
以下、本発明の実施の形態であるオークション出品管理方法について図面を参照しながら説明する。図１は、オークション出品管理方法を実現するためのオークション出品管理装置の概略システム構成を説明するための図である。本実施形態においては、オークション出品対象が中古車輌販売業者が抱える在庫車輌である場合を例に説明するが、オークション出品対象はこれに限定されない。
【００２０】
オークション出品管理装置１００は、パーソナルコンピュータ等の情報処理端末であり、例えば、中古車輌販売業者の店舗内に設置されている。オークション出品管理装置１００は、コンピュータ本体１０１、そのコンピュータ本体１０１に内蔵（又は外付け）されているハードディスク装置などの記憶装置１０２、マウス１０３ａやキーボード１０３ｂ等の入力手段１０３、及び、ＣＲＴディスプレイや液晶ディスプレイなどの画像表示装置１０５等を備えている。
【００２１】
ハードディスク装置１０２には、ウインドウズ、マックＯＳ、あるいは、ＵＮＩＸ等のオペレーティングシステムがインストールされており、さらに、そのオペレーティングシステム上で実行されるアプリケーション１０２ａがインストールされている。アプリケーション１０２ａは、オークション出品管理方法を実現するためのプログラムである。
【００２２】
ハードディスク装置１０２には、在庫車輌データベース１０２ｂが格納されている。在庫車輌データベース１０２ｂは、車種名１０２ｂ１、年式１０２ｂ２、色１０２ｂ３、ステータス１０２ｂ４、出品回数１０２ｂ５、出品履歴１０２ｂ６（出品場所１０２ｂ７、出品日付１０２ｂ８、スタート価格１０２ｂ９、及び、セット価格１０２ｂ１０）等の項目によって構成される。
【００２３】
車種名１０２ｂ１には、中古車輌販売業者が抱える在庫車輌の車種名が登録される。年式１０２ｂ２には、在庫車輌の年式が登録される。色１０２ｂ３には、在庫車輌の車色が登録される。
【００２４】
ステータス１０２ｂ４には、在庫車輌に対する状態（オークション出品中、成約、流札、又は、取消等）が登録される。ステータス１０２ｂ４は、カレンダー領域１０５ｃや在庫車輌一覧１０５ｂ（図４参照）に表示される車種名等の表示色を決定するために用いられる。例えば、ステータス１０２ｂ４が「出品中」であることを示していれば車種名等は黒色で表示される。ステータス１０２ｂ４が「成約」であることを示していれば車種名等は青色で表示される。ステータス１０２ｂ４が「流札」であることを示していれば車種名等は赤色で表示される。ステータス１０２ｂ４が「取消」であることを示していれば車種名等は桃色で表示される。
【００２５】
出品回数１０２ｂ５には、現在までにオークションに出品した回数（総回数）が登録される。出品履歴１０２ｂ６は、在庫車輌の出品履歴であり、出品場所１０２ｂ７、出品日付１０２ｂ８、スタート価格１０２ｂ９、及び、セット価格１０２ｂ１０の項目を含む。
【００２６】
出品場所１０２ｂ７には、出品予定のオークション会場が登録される。出品日付１０２ｂ７には、出品予定の日付が登録される。スタート価格１０２ｂ９には、オークション出品対象（本実施形態では中古車輌）のオークションスタート価格が登録される。セット価格１０２ｂ１０には、オークション出品対象のセット価格が登録される。
【００２７】
次に、上記構成のオークション出品管理装置の動作について説明する。図２は、オークション出品管理装置の動作を説明するためのフローチャートである。以下の処理は、オークション出品管理装置１００がアプリケーション１０２ａを実行することによって実現される。アプリケーション１０２ａが起動されると（Ｓ１００）、画像表示装置１０５にオークション出品管理画面１０５ａが表示される（Ｓ１０１）。
【００２８】
図４は、オークション出品管理画面の表示例である。オークション出品管理画面１０５ａは、オークション出品候補一覧としての在庫車輌一覧１０５ｂと、オークション会場及び日付が関連づけられた複数のオークション出品対象表示領域１０５ｄからなるカレンダー領域１０５ｃと、抽出条件指定領域１０５ｅとを含む。
【００２９】
抽出条件指定領域１０５ｅは、在庫車輌データベース１０２ｂから車種名、年式、及び、色を抽出する抽出条件を指定するための領域である。抽出条件指定領域１０５ｅには、抽出条件１０５ｅ１、チェックボックス１０５ｅ２、及び、ステータス色１０５ｅ３とが表示される。ユーザーは、入力手段１０３によってチェックボックス１０５ｅ２にチェック入力する。チェック入力されると、そのチェック入力されたボックス１０５ｅ２に対応する抽出条件１０５ｅ１が指定されたことになる（Ｓ１０２）。例えば、図４は、全て（４つ）のチェックボックス１０５ｅ２にチェック入力されており、全ての車輌状態（ＡＡ未出品の車輌、ＡＡ出品中の車輌、流札車輌、取消車輌）が抽出条件として指定されたことを示す。なお、この抽出条件としては、必要に応じて各種の条件を設けることが可能である。
【００３０】
オークション出品管理装置１００は、在庫車輌データベース１０２ｂからＳ１０２で指定された抽出条件を満たす車種名、年式及び色を抽出して、在庫車輌一覧１０５ｂに表示する（Ｓ１０３）。
【００３１】
ユーザーは、マウス１０３ａ操作に連動して画面上を移動するポインタ１０５ｆによって、在庫車輌一覧１０５ｂから出品予定のオークション出品対象を指定して（クリックし）（Ｓ１０４）さらに、カレンダー領域１０５ｃから出品予定のオークション会場及び日付が関連づけられたオークション出品対象表示領域１０５ｄを指定する（Ｓ１０４でクリックしたオークション出品対象を出品予定のオークション出品対象表示領域１０５ｄまでドラッグしてドロップする）（Ｓ１０５）。
【００３２】
図４に示すように、複数のオークション出品対象表示領域１０５ｄは格子状に配置されており、カレンダー領域１０５ｃを構成する。カレンダー領域１０５ｃは、縦方向がオークション会場を示し、横方向が日付を示す。横一列のオークション出品対象表示領域１０５ｄには、その左端に表示されたオークション会場（例えば九州ＡＡ）が関連づけられている。なお、この左端に表示されたオークション会場はハードディスク装置１０２に格納されている仕入れ先マスタに登録されているものである。スクロールバーを用いることで、画面に表示されていないオークション会場も表示可能となっている。
【００３３】
また、縦一列のオークション出品対象表示領域１０５ｄには、その上端に表示された日付（例えばｍｏｎ　１９）が関連づけられている。同画面１０５ａには年月入力欄に入力した年月の特定週（例えば平成１４年０８月１９日が月曜日の週）の日付が横一列に表示される。なお、ドラッグ・ドロップをし易くする観点から、当日の日付部分（例えば日付２０を含む部分）はそれ以外の日付部分とは異なる表示態様（表示色）で表示されるようになっている。また、ドラッグ・ドロップをし易くする観点から、オークション開催日付が関連づけられているオークション出品対象表示領域１０５ｄと他のオークション出品対象表示領域１０５ｄとは異なる表示態様（表示色）で表示されるようになっている。また、画面の見易さを考慮して、特定の縦一列のオークション出品対象表示領域１０５ｄを固定的に表示することも考えられる。
【００３４】
図５に示すように、在庫車輌一覧１０５ｂから指定されてオークション出品対象表示領域１０５ｄへドラッグ・ドロップされたオークション出品対象（例えば、「ミ×ージュ　Ｈ０８．０６　緑」）は、ドラッグ・ドロップ先のオークション出品対象表示領域１０５ｄに表示される（Ｓ１０６）。
このように、オークション出品対象は出品場所及び日付が関連づけられた複数のオークション出品対象表示領域からなるカレンダー領域に表示されることになる。このため、ユーザーは、そのカレンダー領域を一瞥するだけで、オークションへ出品するオークション出品対象の出品場所や日付を把握することができ、オークション出品対象の管理を容易に行うことが可能となる。
また、そのドラッグドロップされたオークション出品対象に隣接してそのオークション出品対象の出品回数１０５ｇが表示される。オークション出品対象表示領域１０５ｄ（及び在庫車輌一覧１０５ｂ）に表示されるオークション出品対象（及び出品回数）の表示色は、そのステータス１０２ｂ４によって決まる。
【００３５】
ここでドラッグ・ドロップされたオークション出品対象「ミ×ージュ　Ｈ０８．０６　緑」のステータス１０２ｂ４は「出品中」であることを示す。このため、そのドラッグ・ドロップされたオークション出品対象「ミ×ージュ　Ｈ０８．０６　緑」は黒色で表示される。
【００３６】
また、ドラッグ・ドロップ先のオークション出品対象表示領域１０５ｄに関連づけられているオークション会場及び日付（ここでは、九州ＡＡ及びｗｅｄ２１）と出品回数１０５ｇ（ここでは１）は、ドラッグ・ドロップされたオークション出品対象「ミ×ージュ　Ｈ０８．０６　緑」の出品履歴１０２ｂ６として在庫車輌データベース１０２ｂに登録される。
【００３７】
図６は、さらに、在庫車輌一覧１０２ｂからオークション出品対象として「オ×ティア　Ｈ１１．０９　緑」、「ラ×ゴ　Ｈ０９．１０」をクリックして、その指定した対象を出品予定のオークション会場「九州ＡＡ」及び日付「ｗｅｄ　２１」が関連づけられたオークション出品対象表示領域１０５ｄへドラッグ・ドロップした場合の表示例である。
【００３８】
なお、本実施形態においては、在庫車輌一覧１０５ｂからオークション出品対象がクリックされてオークション出品対象表示領域１０５ｄへドラッグ・ドロップされるとまず、そのドラッグ・ドロップされたオークション出品対象に対する金額設定画面が表示される。このため、ユーザーは入力手段１０３からスタート価格やセット価格を入力することになる。この入力されたスタート価格やセット価格は、そのドラッグ・ドロップされたオークション出品対象の出品履歴１０２ｂ６として在庫車輌データベース１０２ｂに登録される。なお、ドラッグ・ドロップされたオークション出品対象に対するスタート価格やセット価格は所定操作を行うことで、後に変更することも可能となっている。図７は、後に変更する際に表示される金額設定画面の例を示している。この画面は、例えば、オークション出品管理画面１０５ａ中の金額設定ボタンをクリックすることで表示される。
【００３９】
次に、オークション出品管理装置へのステータス入力、反映処理について説明する。図３は、ステータス入力、反映処理を説明するためのフローチャートである。オークション出品対象表示領域１０５ｄにドラッグ・ドロップされたオークション出品対象は、カレンダー領域１０５ｃによって示されるオークション会場及び日付に実際に出品されることになる。ユーザーは、その出品されたオークション出品対象のステータス（状態）を何らかの形（例えば、オークション管理者からの電話又はメール等）で入手し、その入手したステータスを入力手段１０３によってオークション出品管理装置１００に入力する（Ｓ１０８）。
例えば、図４に示すオークション出品対象「ミ×ージュ　Ｈ０８．０６　緑」のステータス「成約」を入手したユーザーは、入力手段１０３によって「ミ×ージュ　Ｈ０８．０６　緑」のステータスとして「成約」を入力する。オークション出品管理装置１００は、この入力されたステータス「成約」をそのオークション出品対象「ミ×ージュ　Ｈ０８．０６　緑」のステータス１０２ｂ４として在庫車輌データベース１０２ｂに登録する。これと共に、オークション出品対象表示領域１０５ｄに黒色（「出品中」であることを示す表示色）で表示されているオークション出品対象「ミ×ージュ　Ｈ０８．０６　緑」が青色（「成約」であることを示す表示色）で表示される。
【００４０】
このように、ステータスに応じてオークション出品対象表示領域１０５ｄに表示されたオークション出品対象の表示態様を変更することとしたので、ユーザーは、カレンダー領域１０５ｃを一瞥するだけで、オークションに出品した在庫車輌のステータスを把握できる。
【００４１】
同様に、在庫車輌一覧１０５ｂに黒色（「出品中」であることを示す表示色）で表示されているオークション出品対象「ミ×ージュ　Ｈ０８．０６　緑」も青色（「成約」であることを示す表示色）で表示される。
【００４２】
このように、ステータスに応じて在庫車輌一覧１０５ｂに表示されたオークション出品対象の表示態様を変更することとしたので、ユーザーは、既に成約等した在庫車輌をオークション出品対象として誤って指定することを防止できる。
【００４３】
次に、本発明の他の実施の形態であるオークション出品管理方法について説明する。
【００４４】
従来、複数のオートオークション（ＡＡ、中古自動車オークションともいう）に出品する場合は、個々のオークションにそれぞれ車輌を登録する必要があった。このため、例えば、３つのオークションに出品する場合は３回登録手続を要し、また、出品した後の状況（ステータス）を管理するにも個々のオークション会場毎に確認する必要があり、非常に煩雑であった。
【００４５】
本実施形態のオークション出品管理方法は、上記実施形態で既に説明したオークション出品管理装置１００を利用して、オークションへの出品処理（外部オークションサーバへの出品登録等）を迅速に行うための方法である。そのために、オークション出品管理装置１００は、外部オークションサーバとの間でインターネット等のネットワークを介してデータ通信を行う通信手段（図示せず）をさらに備えている。図８に、オークション出品管理装置１００と外部オークションサーバーとの接続関係を示す。本実施形態においては、オークション会場である九州ＡＡ、つばさＡＡ及びオークションそれぞれに、外部オークションサーバ２００（合計３つ）が設けられている。
【００４６】
次に、上記構成のオークション出品管理装置の動作について説明する。図９は、オークション出品管理装置の動作を説明するためのフローチャートである。以下の処理は、オークション出品管理装置１００がアプリケーション１０２ａを実行することによって実現される。Ｓ１００からＳ１０６までの処理は上記実施形態で図２を用いて既に説明したものと同様であるため、その説明を省略する。
【００４７】
オークション出品対象表示領域１０５ｄにオークション出品対象がドラッグ・ドロップされると（又はさらにオークション出品対象表示領域１０５ｄに表示されると）（Ｓ１０６）、オークション出品管理装置１００は、そのドラッグ・ドロップされたオークション出品対象に対する出品処理を実行する。具体的には、オークション出品管理装置１００は、出品処理として、そのドラッグ・ドロップされたオークション出品対象に関するオークション出品情報をネットワークを介して外部オークションサーバに送信する（Ｓ２００）。
【００４８】
オークション出品情報は、ドラッグ・ドロップ先のオークション出品対象表示領域１０５ｄに関連づけられているオークション会場に設けられている外部オークションサーバ２００に送信される。例えば、図４に示すように、オークション出品対象がオークション会場「九州ＡＡ」が関連づけられているオークション出品対象表示領域１０５ｄにドラッグ・ドロップされたのであれば、オークション出品情報は、そのオークション会場「九州ＡＡ」に設けられている外部オークションサーバ２００に送信される。
【００４９】
オークション出品情報としては、例えば、ドラッグ・ドロップされたオークション出品対象を識別するための情報（例えば、車種名、年式及び色）、オークションのスタート価格、セット価格、及び、出品者を識別するための情報（例えば、中古車輌販売業者名称又はその識別番号）が考えられる。
【００５０】
外部オークションサーバ２００は、オークション出品管理装置１００からオークション出品情報を受信し、その受信したオークション出品情報を自己のハードディスク装置等に出品登録する（Ｓ２０１）。また、そのオークション出品情報を所定の形式でディスプレイに表示したり、プリンタから印刷することもある。
【００５１】
本実施形態のオークション出品管理方法によれば、オークション出品対象を在庫車輌一覧１０５ｂからオークション出品対象表示領域１０５ｄへドラッグ・ドロップするだけで所定オークション会場及び日付のオークションへの出品処理を行うことが可能となる。
【００５２】
次に、オークション出品管理装置へのステータス入力、反映処理について説明する。オークション出品対象表示領域１０５ｄにドラッグ・ドロップされたオークション出品対象は、カレンダー領域１０５ｃによって示されるオークション会場及び日付に実際に出品されることになる。オークション管理人等は、オークション出品管理装置１００から出品登録されたオークション出品対象のステータスを所定端末（例えばオークション会場に設置されている情報処理端末）に入力する（Ｓ２０２）。
例えば、オークション管理人等は、図４に示すオークション出品対象「ミ×ージュ　Ｈ０８．０６　緑」が実際に成約となった場合には、そのステータスとして「成約」を入力する。この入力されたステータス「成約」はネットワークを介してオークション出品管理装置１００へ送信される。オークション出品管理装置１００は、そのステータスを受信して、そのオークション出品対象「ミ×ージュＨ０８．０６　緑」のステータス１０２ｂ４として在庫車輌データベース１０２ｂに登録する。これと共に、オークション出品対象表示領域１０５ｄに黒色（「出品中」であることを示す表示色）で表示されているオークション出品対象「ミ×ージュ　Ｈ０８．０６　緑」が青色（「成約」であることを示す表示色）で表示される。
【００５３】
このように、外部端末からネットワークを介して受信したステータスに応じてオークション出品対象の表示態様を変更することとしたので、ユーザーは、自らステータスを入力する負担がなくなる。また、ユーザーは、カレンダー領域１０５ｃを一瞥するだけで、オークションに出品した在庫車輌のステータスを把握できる。
【００５４】
同様に、在庫車輌一覧１０５ｂに黒色（「出品中」であることを示す表示色）で表示されているオークション出品対象「ミ×ージュ　Ｈ０８．０６　緑」も青色（「成約」であることを示す表示色）で表示される。
【００５５】
このように、ステータスに応じて在庫車輌一覧１０５ｂに含まれるオークション出品対象の表示態様を変更することとしたので、ユーザーは、既に成約等した在庫車輌をオークション出品対象として誤って指定することを防止できる。
【００５６】
上記実施の形態においては、オークション出品管理画面１０５ａの表示例として図４を用いて説明したが、本発明のオークション出品管理方法はこれに限定されない。例えば、図１０に示すように、さらに、カレンダー切り替えボタン１０５ｇ、１０５ｈを設け、これをマウスでクリック等することで、日付を切り替えるようにしてもよい。なお、同図には、抽出条件指定領域１０５ｅは表示されていないが所定ボタンをクリック等することで、抽出条件指定領域１０５ｅを表示できるようになっている。
【００５７】
本発明は、その精神または主要な特徴から逸脱することなく、他の様々な形で実施することができる。このため、上記の実施形態はあらゆる点で単なる例示にすぎず、これらの記載によって本発明が限定的に解釈されるものではない。
【００５８】
【発明の効果】
以上説明したように、本発明によれば、複数のオークションへ出品した対象（例えば中古車輌）の管理を容易にできるようになる。
【図面の簡単な説明】
【図１】オークション出品管理方法を実現するためのオークション出品管理装置の概略システム構成を説明するための図である。
【図２】オークション出品管理装置の動作を説明するためのフローチャートである。
【図３】ステータス入力、反映処理を説明するためのフローチャートである。
【図４】オークション出品管理画面の表示例である。
【図５】オークション出品管理画面の表示例である。
【図６】オークション出品管理画面の表示例である。
【図７】金額設定画面の表示例である。
【図８】オークション出品管理方法を実現するためのオークション出品管理装置の概略システム構成（他の実施の形態）を説明するための図である。
【図９】オークション出品管理装置（他の実施の形態）の動作を説明するためのフローチャートである。
【図１０】オークション出品管理画面の表示例である。
【符号の説明】
１００　　　オークション出品管理装置
１０１　　　　　コンピュータ本体
１０２　　　記憶装置
１０３　　　入力手段
１０３ａ　　マウス
１０３ｂ　　キーボード
１０４　　　画像表示装置
２００　　　外部サーバー
【図１】
2004094643.tif 000003
【図２】
2004094643.tif 000004
【図３】
2004094643.tif 000005
【図４】
2004094643.tif 000006
【図５】
2004094643.tif 000007
【図６】
2004094643.tif 000008
【図７】
2004094643.tif 000009
【図８】
2004094643.tif 000010
【図９】
2004094643.tif 000011
【図１０】
2004094643.tif 000012